(57)【要約】【課題】ローミング位置登録サービスにおいて、局により位置登録可能な端末に格差が起きないようにすること。【解決手段】ビジタ局２にＤＢを持たせ、ホーム局１，３，４，５ごとにローミング可能台数を保守端末８より設定し、ローミング位置登録処理時にその上限を超えている場合は、ローミング位置登録を行わない。また、ＶＩＰ端末７がローミング時で、ビジタ局２のＤＢが不足しローミングが不可能な場合は、より優先順位の低いＤＢを削除し、かわりにＶＩＰ端末７を登録する。その時、削除したビジタ局２のＤＢに対応するホーム局のＤＢをも削除し、無為に中継線を使用しローミング先に転送されてくるのを防止する。【選択図】　　　図１
2004056321.tif 000002
【特許請求の範囲】
【請求項１】
構内交換機間を移動する移動端末のローミング登録を行う移動端末のローミング登録システムであって、
移動先の構内交換機において、ローミング登録数を移動元の構内交換機ごとに管理するローミング登録数管理手段を含むことを特徴とする移動端末のローミング登録システム。
【請求項２】
前記移動先の構内交換機におけるローミング登録数が上限を超える場合に、前記移動端末に割り当てられているクラス情報により、前記移動端末よりも低クラスの移動端末のローミング登録を解除し、高クラスの前記移動端末のローミング登録を可能とする高クラス選択手段を含むことを特徴とする請求項１記載の移動端末のローミング登録システム。
【請求項３】
構内交換機間を移動する移動端末のローミング登録を行う移動端末のローミング登録方法であって、
移動先の構内交換機において、ローミング登録数を移動元の構内交換機ごとに管理するローミング登録数管理ステップを含むことを特徴とする移動端末のローミング登録方法。
【請求項４】
前記移動先の構内交換機におけるローミング登録数が上限を超える場合に、前記移動端末に割り当てられているクラス情報により、前記移動端末よりも低クラスの移動端末のローミング登録を解除し、高クラスの前記移動端末のローミング登録を可能とする高クラス選択ステップを含むことを特徴とする請求項３記載の移動端末のローミング登録方法。
【発明の詳細な説明】
【０００１】
【発明の属する技術分野】
本発明は、移動端末のローミング登録システムおよびその登録方法に関し、特に自営網におけるＰＨＳ（ｐｅｒｓｏｎａｌ　ｈａｎｄｙ　ｐｈｏｎｅ　ｓｙｓｔｅｍ）端末のローミング登録システムおよびその登録方法に関する。
【０００２】
【従来の技術】
移動端末、たとえばＰＨＳ端末は一般に特定の構内交換機（　ＰＢＸ：ｐｒｉｖａｔｅ　ｂｒａｎｃｈ　ｅｘｃｈａｎｇｅ）　に登録されており、他の構内交換機の制御エリアへ移動する場合はその構内交換機にそのＰＨＳ端末の登録情報をコピーする必要がある。この移動端末の移動に伴う登録情報のコピーをローミング登録と称している。
【０００３】
この種の従来技術の一例が特開昭６３−２８０５２４号公報（　以下、文献１という）　および特開２０００−３０８１１７号公報（　以下、文献２という）　に開示されている。
【０００４】
文献１開示の技術は、各システムに固有のＩＤを与え、ホーム局のシステムから他ＩＤのシステムへ移動した移動無線電話機は、接続装置から周期的に送出されるシステム番号を有する報知信号の受信により、強制的に移動先の無線回線制御装置に自動位置登録をするというものである。
【０００５】
また文献２開示の技術は、無線基地局ごとに位置登録可能な携帯移動端末の最大値データをあらかじめ登録しておくことにより、位置登録規制をかけるとともに、所定の条件を満たす端末に対しては位置登録を可能とするものである。
【０００６】
【発明が解決しようとする課題】
文献１開示の技術では、ビジタ局に移動したＰＳ（ｐｅｒｓｏｎａｌ　ｓｔａｔｉｏｎ）端末は皆、強制的に位置登録される。それによって以下の問題が生じてくる。
【０００７】
第１の問題点は、ビジタ局におけるローミング許容数は有限であるが、先着順にローミング登録処理されるため、ＰＳ端末のホーム局ごとの登録数に格差が出る場合があることである。
【０００８】
第２の問題点は、ビジタ局におけるローミング許容数において、許容数を超えた登録があった場合は、ローミング登録不可となり、たとえ移動してきたＰＳ端末がＶＩＰ（　他端末よりも優先度が高い）　クラスであっても、ビジタ局にローミングが出来ないことである。
【０００９】
また、文献２開示の技術は無線基地局ごとに位置登録可能な携帯移動端末の最大値データを予め登録しておくことにより、位置登録規制をかけるとともに、所定の条件を満たす端末に対しては位置登録を可能とするというものである。
【００１０】
この文献２開示の技術は“最大値のデータを予め登録しておく”という点で後述する本発明と類似性が認められるが、文献２開示の技術は一つの局における特に一つの無線基地局に対するものであるのに対し、本発明は複数の局におけるものであり、また不特定多数の無線基地局に対するものである。その複数の局のデータベースを制御信号により制御するところが本発明の特異なところである。本発明では、優先順位の高いＰＳ端末がローミング位置登録するときに、ビジタ局およびホーム局のデータベースを連携させて変更させる処理を行う。
【００１１】
そこで、本発明の目的は、構内交換機におけるローミング位置登録サービスにおいて、局により位置登録可能な端末に格差が起きないようにすること、または格差を調節できるようにすること、さらにＰＳ端末のクラスにより優先順位をつけ、優先順位の高いＰＳ端末は優先的にローミングできるようにすることが可能な移動端末のローミング登録システムおよびその登録方法を提供することにある。
【００１２】
【課題を解決するための手段】
本発明による移動端末のローミング登録システムは、構内交換機間を移動する移動端末のローミング登録を行う移動端末のローミング登録システムであって、そのシステムは移動先の構内交換機において、ローミング登録数を移動元の構内交換機ごとに管理するローミング登録数管理手段を含むことを特徴とする。
【００１３】
また、本発明による移動端末のローミング登録方法は、構内交換機間を移動する移動端末のローミング登録を行う移動端末のローミング登録方法であって、その方法は移動先の構内交換機において、ローミング登録数を移動元の構内交換機ごとに管理するローミング登録数管理方法を含むことを特徴とする。
【００１４】
すなわち、本発明によれば、構内交換機におけるローミング位置登録サービスにおいて、局により位置登録可能な端末に格差が起きないようにすること、または格差を調節できるようにすること、さらにＰＳ端末のクラスにより優先順位をつけ、優先順位の高いＰＳ端末は優先的にローミングできるようにすることが可能となる。
【００１５】
本発明はビジタ局で、局対応に一定の数のＰＳ端末にのみローミングを許可する。具体的には、本発明はビジタ局でローミング中のＰＳ端末のホーム局情報を管理する手段と、許容量を超えてＰＳ端末がローミングして来たときに、ローミングを規制させる手段とを有する。
【００１６】
また、ＶＩＰクラスのＰＳ端末がローミング時には、ビジタ局ＤＢ（ｄａｔａｂａｓｅ）であるＶＬＲ（ｖｉｓｉｔｏｒ　ｌｏｃａｔｉｏｎ　ｒｅｇｉｓｔｅｒ）の不足によるローミング失敗が発生しないようにＶＬＲを管理する。具体的には、ＰＳ端末がビジタ局にローミングして来た時に、ホーム局から送信するクラス情報でＶＩＰクラスかどうかを判別する手段と、ＶＬＲの不足によるローミング失敗が発生するかどうかを判別する手段と、ローミング失敗が発生する場合に、より低クラスの任意のローミング中ＰＳ端末のＶＬＲを削除し、その削除したＶＬＲを使用してＶＩＰクラスのＰＳ端末にローミングさせる手段とを有する。その時削除したＶＬＲに対応するＨＬＲ（ｈｏｍｅ　ｌｏｃａｔｉｏｎ　ｒｅｇｉｓｔｅｒ）も削除し、中継線が無為に使用されないようにする。
【００１７】
ビジタ局では予め複数のホーム局対応にローミング可能なＰＳ端末の台数を設定しておく。ビジタ局にＰＳ端末がローミングの位置登録をして来た時に、設定されたＰＳ端末の台数をチェックし、許容量を超えていた場合は、ホーム局に位置登録不可の信号を送出し、ローミングを規制する。それにより、複数のホーム局からローミングした際に、各ホーム局でローミング可能な端末の上限を設定でき、資源（ＶＬＲ）を公平、または管理者が調節して使用することができる。
【００１８】
また、上記でローミング位置登録失敗が発生する場合に、ＶＩＰクラスのＰＳ端末の場合は、より低クラスの任意のＰＳ端末を選択し、そのＶＬＲを削除し、そこにＶＩＰクラスのＰＳ端末を登録する。また、削除したＶＬＲに対応するホーム局にローミングが解除されたことを通知し、その通知を受けたホーム局ではホーム局のＤＢであるＨＬＲを削除する。ＶＬＲを削除されたＰＳ端末は使用不可となるが、ＶＬＲが空いた場合には再びローミング位置登録を行い使用可能である。これにより、ＶＩＰクラスのＰＳ端末がビジタ局のＤＢ不足により使用不可となることはなくなる。また、ホーム局のＤＢ（ＨＬＲ）を削除することにより、ローミング登録が解除されたＰＳ端末に対するローミング着信を規制できるので、中継線に無用な負荷をかけることがなくなる。
【００１９】
【発明の実施の形態】
以下、本発明の実施の形態について添付図面を参照しながら説明する。まず、第１の実施の形態について説明する。図１は本発明に係る移動端末のローミング登録システムの第１の実施の形態の構成図である。図１を参照すると、移動端末のローミング登録システムは、ＰＨＳローミング機能を有する自営網で接続された複数のＰＢＸ（　構内交換機）　１，２，３，４，５と、ＰＢＸ２に接続される無線基地局６および保守端末８と、ＰＳ端末７とを含んで構成される。また、ＰＢＸ間は中継線９〜１２で接続されている。
【００２０】
一例として、ＰＢＸ１，３，４，５をホーム局、ＰＢＸ２をビジタ局として以下説明する。なお、どのＰＢＸをホーム局とし、どのＰＢＸをビジタ局にするかの設定は任意である。また、ＰＢＸの台数も任意である。ホーム局のＰＳ端末がビジタ局の制御エリアに移動した場合、そのビジタ局においてローミング登録の処理が必要となる。
【００２１】
また、ビジタ局（ＰＢＸ２）はＤＢ（　データベース）　２１およびＤＢ２２を有し、ホーム局（ＰＢＸ１，３，４，５）はそれぞれＤＢ１１，３１，４１，５１を有しているものとする。
【００２２】
図２はＤＢ２１の一例の構成図、図３はＤＢ２２の一例の構成図、図４はＤＢ１１，３１，４１，５１の一例の構成図である。図２を参照すると、ＤＢ２１はビジタ局におけるローミング中ＰＳ端末の情報のデータベースであるＶＬＲであり、ＰＳ端末ごとに作成され、ＰＳ端末がローミングしている間はこの情報が保持され、この情報を元にビジタ局　（ＰＢＸ２）では呼制御を行う。
【００２３】
また、図３を参照すると、ＤＢ２２はホーム局ごとに設定可能なローミング端末数の上限のデータである。またＤＢ２２は保守端末８より設定可能とする。
【００２４】
また、図４を参照すると、ＤＢ１１，３１，４１，５１はホーム局１，３，４，５における、他局にローミング中ＰＳ端末の情報のデータベースであるＨＬＲであり、ＰＳ端末ごとに作成され、他局に自局のＰＳ端末がローミングしている間はこの情報が保持され、この情報を元に着信した呼をビジタ局に転送し、ローミング先での着信を可能とする。
【００２５】
次に図１〜図４および図５，図７を参照して、本実施形態の動作について詳細に説明する。図５は第１の実施の形態の動作を示すフローチャート、図７は従来のローミング登録システムの一例の動作を示すフローチャートである。
【００２６】
まず、便宜上、図７を参照して従来のローミング登録システムの一例の動作について説明する。予め、ビジタ局であるＰＢＸ２の保守端末８で、ホーム局ごとにローミング可能なＰＳ端末台数をＤＢ２２に登録しておく（　図３参照）　。
【００２７】
ホーム局であるＰＢＸ１より、ビジタ局であるＰＢＸ２へ、ＰＳ端末７が移動する（Ｓ２１）。ＰＳ端末７はまず無線基地局６に位置登録した旨の信号を送出する（Ｓ２２）。ＰＢＸ２は無線基地局６を介してＰＳ端末７が移動してきたことを知る。
【００２８】
次に、ＰＢＸ２はホーム局であるＰＢＸ１へＰＳ端末７がローミングしてきたことを中継線９を介して制御信号で通知し（Ｓ２３）、ＰＢＸ１はＰＳ端末７に関する情報（　認証情報等）　をＰＢＸ２に返送する（Ｓ２４）。ＰＢＸ２はＰＢＸ１　より受信した情報を元に、ＰＳ端末７の認証作業を行い（Ｓ２５）、ＰＳ端末７が認証ＯＫだった場合は（Ｓ２６にてＹの場合）、ルーチング情報等をＰＢＸ１に送信する（Ｓ２７）。ＰＢＸ１は受信したルーチング情報をＤＢ１１に登録し（Ｓ２８）、それを元に、ＰＳ端末７に着信があった場合は転送作業を行う。また、認証ＯＫでなかった場合は（Ｓ２６にてＮの場合）、処理は終了となる。
【００２９】
次に、本発明について説明する。本発明ではＰＢＸ２がＰＳ端末７の移動によりホーム局であるＰＢＸ１へ制御信号を送出する前に（　図７のＳ２３の前に）　、ＤＢ２２をチェックする。そのＤＢ２２のチェックでＰＳ端末７がはじかれた場合は、上記一連のＰＢＸ間の信号のやり取りは行わない。
【００３０】
ＰＳ端末７がＰＢＸ２に移動したことをＰＢＸ２が察知すると、ＰＢＸ２はＤＢ２２をチェックする。その時、ＰＢＸ１からのローミング端末数が、ＤＢ２２の「ＰＢＸ１局のローミング数」を超えていない場合は、図７のＳ２３からＳ２８に示すローミング位置登録の信号のやり取りをＰＢＸ１とＰＢＸ２との間で行う。
【００３１】
図５を参照しながら具体的に説明すると、ホーム局であるＰＢＸ１より、ビジタ局であるＰＢＸ２へ、ＰＳ端末７が移動する（Ｓ１）。ＰＳ端末７はまず無線基地局６に位置登録した旨の信号を送出する（Ｓ２）。ＰＢＸ２は無線基地局６を介してＰＳ端末７が移動してきたことを知る。
【００３２】
次に、ＰＢＸ２はＤＢ２２を参照してＰＢＸ１局のローミング数が上限を超えていないかどうかをチェックする（Ｓ３）。その結果、上限を超えていると判別された場合は（Ｓ３にてＮの場合）、ＰＳ端末７の登録は認められず処理は終了となる。
【００３３】
一方、上限を超えていないと判別された場合は（Ｓ３にてＹの場合）、ＰＢＸ２はホーム局であるＰＢＸ１へＰＳ端末７がローミングしてきたことを中継線９を介して制御信号で通知し（Ｓ４）、ＰＢＸ１はＰＳ端末７に関する情報（　認証情報等）　をＰＢＸ２に返送する（Ｓ５）。ＰＢＸ２はＰＢＸ１より受信した情報を元に、ＰＳ端末７の認証作業を行い（Ｓ６）、ＰＳ端末７が認証ＯＫだった場合は（Ｓ７にてＹの場合）、ルーチング情報等をＰＢＸ１に送信する（Ｓ８）。ＰＢＸ１は受信したルーチング情報をＤＢ１１に登録し（Ｓ９）、それを元に、ＰＳ端末７に着信があった場合は転送作業を行う。また、認証ＯＫでなかった場合は（Ｓ７にてＮの場合）、処理は終了となる。
【００３４】
次に、第２の実施の形態について説明する。図６は本発明に係る移動端末のローミング登録システムの第２の実施の形態の動作を示すフローチャートである。なお、第２の実施の形態の構成は第１の実施の形態（　図１参照）　と同様である。
【００３５】
前述の動作の説明（　図５参照）　で、ＰＢＸ２がＤＢ２２をチェックした時に、データが上限を超えている場合（Ｓ３にてＮの場合）、中継線９を介してＰＢＸ２とＰＢＸ１との間でローミング位置登録の制御信号のやりとりを行う。そのなかのＰＢＸ１とＰＢＸ２の信号のやりとりで、ＰＢＸ２はホーム局よりＰＳ端末のクラス情報を取得できる（　図６のＳ１１）　。これは、ＴＴＣ標準ＪＪ２０．　６０にも規定されている従来の技術である。
【００３６】
ＰＢＸ２はその取得したクラス情報がＶＩＰのものかどうか判別し、ＶＩＰのものであったら（Ｓ１２にてＹの場合）、ＤＢ２１から優先順位の低いＶＬＲｘを選択し（Ｓ１３）、そのデータを削除し（Ｓ１４）、削除したＶＬＲｘのエリアにＶＩＰのＰＳ端末７のＶＬＲを登録し（Ｓ１５）、ＰＢＸ１との位置登録の制御信号のやり取りを完了させる。これにより、ＶＩＰ−ＰＳ端末７がローミング先でＤＢ不足により使用不可となるのを防止することができる。
【００３７】
また、その時削除したＶＬＲに対応するホーム局に対し、ＶＬＲを削除した旨の情報を中継線９を介して通知し（Ｓ１６）、ホーム局のＨＬＲ（ホーム局がＰＢＸ３ならＤＢ３１）を削除する（Ｓ１７）。それにより、ＶＬＲが削除されたＰＳ端末に着信した場合にローミング先に着信呼を無為に転送することがなくなり、中継線の有効活用につながる。
【００３８】
また、ＶＩＰ−ＰＳ端末の判別方法にクラス情報を使用しないで、ＰＢＸ２のＤＢに予めＶＩＰ−ＰＳ端末のＰＳ−ＩＤを登録しておけば、前述のようにＰＢＸ１−ＰＢＸ２間でクラス情報取得のために、信号のやり取りをすることなくＶＩＰ−ＰＳ端末を判別することが可能となる。
【００３９】
【発明の効果】
以上説明したように本発明による移動端末のローミング登録システムおよびその登録方法によれば、構内交換機におけるローミング位置登録サービスにおいて、局により位置登録可能な端末に格差が起きないようにすること、または格差を調節できるようにすること、さらにＰＳ端末のクラスにより優先順位をつけ、優先順位の高いＰＳ端末は優先的にローミングできるようにすることが可能となる。
【００４０】
具体的には、第１の効果は、ローミング時にＰＢＸのメモリ資源の使用の格差をなくす，またはその格差を意識的に調節できることにある。ある局の端末だけが多数ローミング登録可能となっているが、他局の端末のローミング登録数が少数しかローミングできない、または逆に、ある特定の局からだけはローミングを確実に行えるようにすることが可能となる。
【００４１】
その理由は、ビジタ局であらかじめ局ごとにローミング可能な端末の数を設定し、その上限を超えたら、ローミングの登録を規制しているからである。
【００４２】
第２の効果は、ビジタ局のＤＢが不足する場合でもＶＩＰのＰＳ端末に対してはローミング処理がＮＧとならないようにすることが可能となる。
【００４３】
その理由は、ＶＩＰ端末がＤＢ不足時にローミングした場合は、より優先順位の低いクラスの端末のローミング状態を解除して、その分のＤＢをＶＩＰ端末に割り当てるからである。またその際、削除されたＶＬＲ対応のＨＬＲを中継線を介して削除することにより、中継線の有効利用も可能となる。
【図面の簡単な説明】
【図１】本発明に係る移動端末のローミング登録システムの第１の実施の形態の構成図である。
【図２】ＤＢ２１の一例の構成図である。
【図３】ＤＢ２２の一例の構成図である。
【図４】ＤＢ１１，３１，４１，５１の一例の構成図である。
【図５】第１の実施の形態の動作を示すフローチャートである。
【図６】第２の実施の形態の動作を示すフローチャートである。
【図７】従来のローミング登録システムの一例の動作を示すフローチャートである。
【符号の説明】
１〜５　ＰＢＸ（　構内交換機）
６　無線基地局
７　ＰＳ端末
８　保守端末
９〜１２　中継線
１３　ＤＢ２１
１４　ＤＢ２２
１５　ＤＢ１１
１６　ＤＢ３１
１７　ＤＢ４１
１８　ＤＢ５１
【図１】
2004056321.tif 000003
【図２】
2004056321.tif 000004
【図３】
2004056321.tif 000005
【図４】
2004056321.tif 000006
【図５】
2004056321.tif 000007
【図６】
2004056321.tif 000008
【図７】
2004056321.tif 000009